(57)【要約】【課題】  本発明は、複数の録画機能を有する場合に、放送時間が重複している番組の録画予約において、いずれの録画機能にて実行されるのかを容易に認識することが可能な制御装置及び制御方法を提供する。【解決手段】  制御装置１は、録画予約処理時に、電子番組表４０と、録画装置毎に時間情報に沿って設定された録画予約情報を配列表示する表示欄４３とを表示する。表示欄４３において、第１の記録装置１６にて録画するよう設定された録画予約情報５２、５３が、時間情報に沿って表示欄［録画１］４１に表示される。又第２の記録装置１７にて録画するよう設定された録画予約情報５４、５５が、時間情報に沿って表示欄［録画２］４２に表示される。従って予約番組の重複状況や、重複してても同時録画可能かを、ユーザが容易に認識できる。【選択図】  図４
2005217915.tif 000002
【特許請求の範囲】
【請求項１】
表示部と、複数の記録装置あるいは同時間帯に放送される複数の番組内容を録画する複数の記録機構を有する１つの記録装置に接続され、上記記録装置における放送番組の録画予約を設定する制御装置において、
上記設定された録画予約に関する情報を記録装置毎に放送時間順に並べて表示する表示欄を有する表示画面を上記表示部に表示するよう制御する制御部と、
を有することを特徴とする制御装置。
【請求項２】
上記表示画面は、上記記録装置または記録機構の数だけ上記表示欄が設けられていることを特徴とする請求項１記載の制御装置。
【請求項３】
上記制御部は、放送局毎に放送される番組を放送時間の順番に表示する表示欄からなる電子番組表と、上記設定された録画予約に関する情報とを、記録装置毎に放送時間順に並べて表示する表示欄を有する表示画面を上記表示部に表示するよう制御することを特徴とする請求項１記載の制御装置。
【請求項４】
表示部と、複数の記録装置あるいは同時間帯に放送される複数の番組内容を録画する複数の記録機構を有する１つの記録装置に接続され、上記記録装置における放送番組の録画予約を設定する制御方法において、
上記記録装置における放送番組の録画予約を設定するステップと、
上記設定された録画予約に関する情報を記録装置毎に放送時間順に並べて表示する表示欄を有する表示画面を上記表示部に表示するステップと、
を有することを特徴とする制御方法。
【請求項５】
上記表示ステップは、上記設定された録画予約に関する情報を記録装置毎に放送時間順に並べて表示する表示欄を、上記記録装置または記録機構の数だけ設けた表示画面を上記表示部に表示するものであることを特徴とする請求項４記載の制御方法。
【請求項６】
上記表示ステップは、放送局毎に放送される番組を放送時間の順番に表示する表示欄からなる電子番組表と、上記設定された録画予約に関する情報とを、記録装置毎に放送時間順に並べて表示する表示欄を有する表示画面を上記表示部に表示するものであることを特徴とする請求項４記載の制御方法。
【発明の詳細な説明】
【技術分野】
【０００１】
本発明は、放送時間帯が互いに重複している番組の録画予約を設定でき、保持する複数の録画予約機能に対応させて予約された番組情報を表示するよう制御する制御装置及び制御方法に関する。
【背景技術】
【０００２】
近年、ハードディスクレコーダなどの記録装置においては、放送時間が互いに重複している番組の録画予約を設定できるものがある。しかしながら、このような装置においては、放送時間が重複している番組を録画予約した際に、いずれの番組が実際に録画予約されるのか確認できないという問題がある。このような問題を考慮して、例えば重複して予約された複数の番組に対して優先度を付与し、色彩表示することにより、重複している場合に実行される録画予約か、実行されない録画予約かを一目で識別することができる装置が考えられている（例えば、特許文献１参照）。
【特許文献１】特開２００３−３７７９１号公報
【発明の開示】
【発明が解決しようとする課題】
【０００３】
しかしながら、従来の装置は、単一の録画装置による録画予約の重複のみ考慮されており、複数の録画機能を有する場合を全く想定しておらず、いずれの録画機能にて実行されるのかを確認する手段がないという問題点がある。
【０００４】
本発明は、以上の点に鑑みなされたもので、複数の録画機能を有する場合に、放送時間が重複している番組の録画予約において、いずれの録画機能にて実行されるのかを容易に認識することが可能な制御装置及び制御方法を提供することを目的とする。
【課題を解決するための手段】
【０００５】
上記目的を達成するために、本発明の制御装置は、表示部と、複数の記録装置あるいは同時間帯に放送される複数の番組内容を録画する複数の記録機構を有する１つの記録装置に接続され、上記記録装置における放送番組の録画予約を設定する制御装置において、上記設定された録画予約に関する情報を記録装置毎に放送時間順に並べて表示する表示欄を有する表示画面を上記表示部に表示するよう制御する制御部と、を有することを特徴とする。
【０００６】
上記目的を達成するために、本発明の制御方法は、表示部と、複数の記録装置あるいは同時間帯に放送される複数の番組内容を録画する複数の記録機構を有する１つの記録装置に接続され、上記記録装置における放送番組の録画予約を設定する制御方法において、上記記録装置における放送番組の録画予約を設定するステップと、上記設定された録画予約に関する情報を記録装置毎に放送時間順に並べて表示する表示欄を有する表示画面を上記表示部に表示するステップと、を有することを特徴とする。
【発明の効果】
【０００７】
本発明によれば、複数の録画機能を有する場合に、放送時間が重複している番組の録画予約において、いずれの録画機能にて実行されるのかを容易に認識することができる。
【発明を実施するための最良の形態】
【０００８】
以下、本発明に係る実施の形態について図面を参照して詳細に説明する。図１及び図２は、本発明の一実施の形態に係る制御装置１を用いたシステムを示す図である。
【０００９】
図１は、２つのチューナ機能と２つの録画機能を有する制御装置１としての録画装置１Ａを示すブロック図である。図２は、１つのチューナ機能と１つの録画機能を有する録画装置に複数接続し、これら録画装置の予約処理を制御する制御装置１としてのホームサーバ（以下ＨＳと称す）１Ｂを示すブロック図である。
【００１０】
図１に示す録画装置１Ａは、例えば制御部１２Ａと、メモリ１１Ａと、第１及び第２のチューナ１３、１４と、記録再生制御部１５と、ＨＤＤ１６Ａと、ＤＶＤドライブ１７Ａと、第１及び第２の切替部１８、１９と、第１及び第２のデコーダ２０，２１と、画面合成部２２及び第１及び第２の表示部２３、２４とから構成されている。
【００１１】
制御部１２Ａは、ＣＰＵ（Ｃｅｎｔｒａｌ  Ｐｒｏｃｅｓｓｉｎｇ  Ｕｎｉｔ）を中心に構成され、リモコン装置１０Ａからのユーザの指示を受信し、メモリ１１Ａへ格納したり、他のブロックに対して指示を行う。また、制御部１２Ａは、第１のチューナ１３と第２のチューナ１４に対して選局の指示を与える。この指示を受けて、第１のチューナでは番組を選局し、第２のチューナでは番組を選局する。この第１及び第２のチューナによる選局動作はそれぞれ独立して行われる。
【００１２】
第１及び第２のチューナ１３、１４からの出力は、ＮＴＳＣ、ＰＡＬなどのアナログビデオ信号や、音声信号や、ＭＰＥＧのトランスポートストリームなどである。それぞれの出力は記憶再生制御部１５へと供給される。また、第１及び第２のチューナ１３、１４からの出力は、それぞれ切替部１８、１９へと供給される。
【００１３】
記録再生制御部１５は、第１の記録装置であるＨＤＤ１６Ａと、第２の記録装置であるＤＶＤドライブ１７Ａと接続されており、制御部１２Ａの指示に基づいて、第１あるいは第２のチューナ１３、１４から入力される信号を、第１あるいは第２の記録装置１６Ａ，１７Ａのいずれかに割り振って、記録させる。
【００１４】
即ち、記録再生制御部１５は、制御部１２Ａの指示に基づいて、例えば同じ時刻に第１のチューナ１３から入力された信号（番組情報等）を第１の記録装置１６Ａ（または１７Ａ）へ記録し、第２のチューナ１４から入力された信号（番組情報等）を第２の記録装置１７Ａ（または１６Ａ）へ記録するよう制御することができる。
【００１５】
また、記録再生制御部１５は、制御部１２Ａの指示に基づいて、第１または第２の記録装置１６Ａ、１７Ａから記録信号を読み出し、第１または／及び第２の切替部１８、１９へと供給する。第１及び第２の切替部１８、１９は、制御部１２Ａの指示に基づいて、第１及び第２のチューナ１３、１４と記録再生制御部１５からの入力信号のいずれかへ切替える。
【００１６】
そして、第１の切替部１８の出力信号は第１のデコーダ２０に提供され、画面合成部２２を介して第１の表示部２３にて表示される。第２の切替部１９の出力信号は第２のデコーダ２１に提供され、表示部２４に表示される。
【００１７】
画面合成部２２は、制御部１２Ａの指示に基づいて、単一画面の表示を指示されている場合には第１のデコーダ２０からの信号を第１の表示部２３に供給し、複数画面の表示を指示されている場合には第１及び第２のデコーダ２０、２１からの信号を合成処理した後に第１の表示部２３に提供する。
【００１８】
また、第１及び第２の記録装置１６Ａ、１７Ａにおける録画予約処理は、制御部１２Ａによる制御のもと、ユーザによりリモコン装置１０Ａを用いて録画予約情報が入力（あるいは選択）され、メモリ１１Ａに録画予約情報が格納されることにより録画予約が設定される。この際、制御部１２Ａは、第１あるいは第２の表示器２３、２４を用いて、後述するような録画予約処理に関連する表示画面を表示しながら、一連の録画予約処理を進めていくようになっている。
【００１９】
次に、図２に示すシステムは、ＨＳ１Bと、複数の記録装置１６B、１７Bと、複数の表示器２３、２４等から構成されており、ＨＳ１Ｂはこれら複数の記録装置１６Ｂ、１７Ｂと有線あるいは無線で接続され、これらの装置１６Ｂ、１７Ｂの録画予約を統括して制御するものである。
【００２０】
本実施例では、図２に示すように、部屋ＡにＨＳ１Ｂと、第１のチューナ１３を保持する第１の記録装置１６Ｂと、第１の表示器２３とが設置されており、部屋Ｂには第２のチューナ１４を保持する第２の記録装置１７Ｂと、第２の表示器２４とが設置されている。ＨＳ１Ｂは、第１の表示器２３と、第１の記録装置１６Ｂと、中継器を介して第２の記録装置１７Ｂと、無線で通信可能に接続されている。
【００２１】
また、第１の記録装置１６Ｂは、第１のチューナ１３によって番組を選局し、予め設定された番組情報を録画したり、第１の表示器２３に番組情報を送信して表示する。第２の記録装置１７Ｂは、第２のチューナ１４によって番組を選局し、予め設定された番組情報を録画したり、第２の表示器２４に番組情報を送信して表示する。
【００２２】
図３は、ＨＳ１Ｂの構成を示すブロック図である。図３に示すように、ＨＳ１Ｂは、例えば全体の制御を司る制御部１２Ｂ、図示せぬリモコン装置などからユーザにより録画予約情報等の指示が入力される入力部１０Ａ、録画予約情報が格納されるメモリ１１Ａ、各種情報を表示する表示部３２、外部装置と無線で通信するための無線ＬＡＮ通信部３３から構成されている。
【００２３】
図２及び図３に示すシステムのもと、ＨＳ1Ｂに対して、ユーザにより図示せぬリモコン装置を用いて入力部１０Ｂから第１及び第２の記録装置１６Ｂ、１７Ｂにおける録画予約情報が入力されると、メモリ１１Ｂに録画予約情報が格納されることにより録画予約が設定される。
【００２４】
この際、制御部１２Ｂは、第１あるいは第２の表示器２３、２４（あるいは表示部３２）を用いて、後述するような録画予約処理に関連する表示画面を表示しながら、一連の録画予約処理を進めていくようになっている。そして、ＨＳ１Ｂは、この入力／設定された録画予約情報に基づいて第１及び第２の記録装置１６Ｂ、１７Ｂに対して録画指示を送信し、記録させるよう制御するようになっている。
【００２５】
図４は、制御装置１（図１に示す録画装置１Ａ、図２に示すＨＳ１Ｂ）における録画予約処理時の表示画面を示す図である。図４に示すように、制御装置１は、録画予約処理を行う際に、表示器２３あるいは２４に番組を選択するための番組ガイドデータとして、放送局毎に時間情報に沿って番組情報が配列された電子番組表（ＥＰＧ：Ｅｌｅｃｔｒｏｎｉｃ  Ｐｒｏｇｒａｍ  Ｇｕｉｄｅ）４０を表示する。
【００２６】
ユーザは、表示された電子番組表４０からリモコン装置１０を操作して希望する番組情報を選択し、従来からの技術同様に、図示せぬ録画予約ボタンを押下する等、録画予約指示を行うことにより、制御装置１において録画予約の設定が行われる。
【００２７】
本実施例では、制御装置１は、この電子番組表４０に加え、録画装置毎に時間情報に沿って設定された録画予約情報を配列表示するための、各録画装置用の表示欄４３（４１、４２、・・・）を表示する。即ち、第１の記録装置１６において録画するよう設定された録画予約情報５２、５３が、時間情報に沿って表示欄［録画１］４１に表示される。また、第２の記録装置１７において録画するよう設定された録画予約情報５４、５５が、時間情報に沿って表示欄［録画２］４２に表示される。
【００２８】
録画予約処理時に、このような記録装置毎に設定された録画予約情報を表示することにより、予約番組の重複状況や、複数の録画予約情報において予約時間が重なっていても同時に録画可能であるかを、ユーザが容易に認識することができる。
【００２９】
尚、本実施例では、２つの記録装置１６、１７の録画予約表示を制御する制御装置１を用いて説明したが、これに限らず、１つ以上の制御可能な記録装置の数だけ表示欄４３を表示すればよい。
【００３０】
図５乃至図９を用いて、制御装置１（図１に示す録画装置１Ａ、図２に示すＨＳ１Ｂ）において、第１及び第２の記録装置１６、１７（１６Ａ、１６Ｂ、１７Ａ、１７Ｂ）に関する録画予約処理を実行する際の録画予約情報の表示を制御する表示制御方法について説明する。
【００３１】
図５は制御装置１における第１及び第２の記録装置１６、１７に関する録画予約処理を示すフローチャート図であり、図６は録画予約処理の際の録画予約情報の表示を更新する処理を示すフローチャート図であり、図７乃至図９は録画予約情報の画面表示を説明するための図である。
【００３２】
図５に示すように、制御装置１の制御部１２（１２Ａ、１２Ｂ）は、まず表示部２３（又は２４）に図４に示す電子番組表４０及び記録装置毎の表示欄４３を表示しており、ユーザにより電子番組表４０やリモコン装置１０等により第１及び／又は第２の記録装置１６、１７における録画予約情報（即ち少なくとも録画を希望する番組情報と、録画する記録装置を指定する情報）を受信する（ステップＳＴ１１）。
【００３３】
本実施例では、このＳＴ１１において、例えば図４に示す電子番組表４０から、放送局『ＣＢＡ総合』、放送時間が１３時５０分から１４時００分迄の番組『料理』５０が選択され、録画する記録装置は『第１の記録装置１６』が指定されたとする。
【００３４】
次に制御部１２は、受信した録画予約情報をメモリ１１に格納し、更に必要に応じて第１及び第２の記録装置１６、１７へ録画予約情報を通知することによりタイマセットすることで、受信した録画予約情報を設定する（ステップＳＴ１２）。そして、制御部１２は、設定された録画予約情報に基づいて、表示部２３（又は２４）に表示されている記録装置毎の表示欄４３の表示を更新する（ステップＳＴ１３）。
【００３５】
即ち、ＳＴ１３の更新処理をより詳細に説明すると、図６に示すように、制御部１２は、ＳＴ１１にて受信され、メモリ１１にアクセスし、指定された記録装置１６において、ＳＴ１２にて設定された録画予約情報（即ち上記番組『料理』５０）の放送時間が一部でも重なる録画予約情報が既に設定されているかを確認する（ステップＳＴ２１）。
【００３６】
ＳＴ２１の確認の結果、ＳＴ１２にて設定された録画予約情報（即ち上記番組『料理』５０）の放送時間と一部でも重なる録画予約情報はないと判断されると（ステップＳＴ２２のＮｏ）、制御部１２は、図７に示すように、第１の記録装置１６に対応する表示欄［録画１］４１に、番組『料理』５０に対応する録画予約表示５１を挿入して表示し(ステップＳＴ２３)、ＳＴ１４の判断処理へと進む。
【００３７】
次に、例えばユーザによって引き続き録画予約処理が施され（ステップＳＴ１４のＮｏ）、ＳＴ１１において、例えば本実施例では、図７に示す電子番組表４０から、放送局『ＹＹＺテレビ』、放送時間が１３時００分から１４時００分迄の番組『バラエティ』５６が選択され、録画する記録装置は『第１の記録装置１６』が指定されたとする。
【００３８】
すると、制御部１２は、メモリ１２に録画予約情報を格納し（ステップＳＴ１２）、記録装置に対応した表示欄４３の画面表示の更新処理へと進み（ステップＳＴ１３、図６のフローチャートへと進み）、ＳＴ２１の確認を実行する。
【００３９】
このＳＴ２１の確認の結果、ＳＴ１２にて設定された番組『バラエティ』５６の放送時間と一部でも重なる録画予約情報が既に設定されていると判断された場合には（ステップＳＴ２２のＹｅｓ）、表示部２３（又は２４）にて重複予約である旨を通知する（ステップＳＴ２４）。
【００４０】
このＳＴ２４の通知に対してユーザから録画する記録装置を変更する旨の変更指示が施され、例えば既に設定されていた番組『料理』５０を録画する録画装置を第１の記録装置１６から第２の記録装置１７へ変更指定されたとする（ステップＳＴ２５のＹｅｓ）。
【００４１】
すると、制御部１２は、メモリ１１の格納内容を変更すると共に、図８（ａ）に示すように、表示欄［録画１］４１に表示されていた番組『料理』５０に対応する録画予約表示５１を、変更された第２の記録装置１７に対応する表示欄［録画２］４２の該当する放送時間帯に、番組『料理』５０に対応する録画予約表示５１をずらし、新たな録画予約表示５７と変更する。
【００４２】
そして、制御部１２は、この録画予約表示のずらし終わると、図８（ｂ）に示すように、次に番組『バラエティ』５６に対応する録画予約表示５８を表示欄［録画］４１に挿入して表示し(ステップＳＴ２３)、ＳＴ１４の判断処理へと進む。
【００４３】
このＳＴ２４の通知に対してユーザから変更指示などの特段の処理が施されなかった場合には(ステップＳＴ２５のＮｏ)、制御部１２は、図９に示すように、第１の記録装置１６に対応する表示欄［録画１］４１の該当する放送時間帯に、番組『バラエティ』５６に対応する録画予約表示５９を挿入し、表示欄［録画１］４１内に、既に表示していた録画予約表示５１と並べて表示するよう変更し（ステップＳＴ２７）、ＳＴ１４の判断処理へと進む。
【００４４】
このように、本実施例では、複数のチューナと複数の記録装置とを有し、複数の番組を同時に録画できるシステムにおいて、録画予約処理により録画予約情報の設定がなされた場合に、記録装置毎に録画予約内容を時間軸に沿って表示する制御することにより、予約番組の重複状況や、複数の録画予約情報において予約時間が重なっていても同時に録画可能であるかを、ユーザが容易に認識することができる。
【００４５】
また、本実施例では、同一の記録装置において重なる時間帯に録画予約が設定された場合に、録画装置の変更を通知し、この通知に対して特にユーザからアクションがない場合には対応する同じ録画装置の表示欄に並べて表示するよう制御し、この通知に対して録画装置の変更指定が行われた場合には変更指示された録画予約情報の表示欄をずらして表示するよう制御している。
【００４６】
これにより、記録装置が複数接続されたシステムにおいて、いずれに記録装置にどのような録画予約が設定されているか、各記録装置に対応した表示欄を表示することにより、ユーザが容易に認識することができる。
【図面の簡単な説明】
【００４７】
【図１】本発明の実施形態における制御装置１としての、２つのチューナ機能と２つの録画機能を有する録画装置１Ａを示すブロック図。
【図２】制御装置１としての、１つのチューナ機能と１つの録画機能を有する録画装置に複数接続し、これら録画装置の予約処理を制御するホームサーバ（以下ＨＳと称す）１Ｂを示すブロック図。
【図３】ＨＳ１Ｂの構成を示すブロック図。
【図４】制御装置１（図１に示す録画装置１Ａ、図２に示すＨＳ１Ｂ）における録画予約処理時の表示画面を示す図。
【図５】制御装置１における第１及び第２の記録装置１６、１７に関する録画予約処理を示すフローチャート図。
【図６】録画予約処理の際の録画予約情報の表示を更新する処理を示すフローチャート図。
【図７】録画予約情報の画面表示を説明するための図。
【図８】録画予約情報の画面表示を説明するための図。
【図９】録画予約情報の画面表示を説明するための図。
【符号の説明】
【００４８】
１    制御装置
１Ａ    録画装置（制御装置）
１Ｂ    ホームサーバ（ＨＳ、制御装置）
１１、１１Ａ、１１Ｂ    メモリ
１２、１２Ａ、１２Ｂ    制御部
１３    第１のチューナ
１４    第２のチューナ
１６、１６Ａ、１６Ｂ    第１の記録装置
１７、１７Ａ、１７Ｂ    第２の記録装置
２３、２４    表示器
４０    電子番組表
４１、４２、４３    記録装置に対応した表示欄
５１~５９    録画予約が指示された各番組に対応した録画予約表示
【図１】
2005217915.tif 000003
【図２】
2005217915.tif 000004
【図３】
2005217915.tif 000005
【図４】
2005217915.tif 000006
【図５】
2005217915.tif 000007
【図６】
2005217915.tif 000008
【図７】
2005217915.tif 000009
【図８】
2005217915.tif 000010
【図９】
2005217915.tif 000011